(57)【要約】  【課題】  廃棄時に内部のごみの飛び出しを防止するために開口部を容易に閉じることができ、また、ごみ受けかごや三角コーナーへの設置作業が簡単である流し用水切りごみ袋を提供すること。  【解決手段】  有底で上方に開口部２が設けられ、多数の穴３を有する流し用水切りごみ袋１であって、不織布またはフラットヤーンよりなり、前記開口部２の上縁に複数の結び代部４が連設されている。  【選択図】  図１
0003107074.tif 000002
【実用新案登録請求の範囲】
【請求項１】
有底で上方に開口部が設けられ、多数の穴を有する流し用水切りごみ袋であって、不織布またはフラットヤーンよりなり、前記開口部の上縁に複数の結び代部が連設されていることを特徴とする流し用水切りごみ袋。
【請求項２】
前記結び代部が開口部の上縁にほぼ等間隔に四つ連設されている請求項１に記載の流し用水切りごみ袋。
【請求項３】
前記不織布が、ポリエチレンおよびポリエチレンテレフタレートよりなるかあるいはポリプロピレンよりなる請求項１または２に記載の流し用水切りごみ袋。
【考案の詳細な説明】
【技術分野】
【０００１】
本考案は、例えば、流しの排水口に設置されるごみ受けかごや流しの隅に設置されるいわゆる三角コーナーなどに取り付けられ、使い捨てされる流し用水切りごみ袋に関する。
【背景技術】
【０００２】
従来より、流しの排水口に設置されるごみ受けかごや流し内に設置される三角コーナーなどのかご部材は、水切りごみ袋が取り付けられた状態で用いられている。そして、前記水切りごみ袋は、内部にごみが溜まった後は取り出され、水を切った状態でごみ容器やごみ袋に捨てられる。
【考案の開示】
【考案が解決しようとする課題】
【０００３】
しかし、上記従来の水切りごみ袋では、以下のような問題があった。すなわち、ごみが溜まった状態の水切りごみ袋を捨てるときに、水切りごみ袋内からごみが飛び出すのを防止するには、水切りごみ袋の開口部を閉じることが効果的であるが、その閉じる作業に手間がかかるという問題があった。また、従来の水切りごみ袋では、開口部周縁を折り返し、この折り返し部分を、前記かご部材の開口部に係止させていたので、かご部材の開口部の径に比べて水切りごみ袋の開口部の径があまり大きくない場合には、かご部材の開口部に水切りごみ袋の折り返し部分を係止させる作業や、かご部材の開口部から水切りごみ袋の折り返し部分を取り外す作業に手間がかかるという問題があった。
【０００４】
この考案は上述の事柄に留意してなされたもので、その目的は、廃棄時に内部のごみの飛び出しを防止するために開口部を容易に閉じることができ、また、ごみ受けかごや三角コーナーへの設置作業が簡単である流し用水切りごみ袋を提供することである。
【課題を解決するための手段】
【０００５】
上記目的を達成するために、本考案の流し用水切りごみ袋は、有底で上方に開口部が設けられ、多数の穴を有する流し用水切りごみ袋であって、不織布またはフラットヤーンよりなり、前記開口部の上縁に複数の結び代部が連設されていることを特徴としている（請求項１）。
【０００６】
また、前記結び代部が開口部の上縁にほぼ等間隔に四つ連設されていてもよい（請求項２）。
【０００７】
具体的には、前記不織布が、ポリエチレンおよびポリエチレンテレフタレートよりなるかあるいはポリプロピレンよりなる（請求項３）。
【考案の効果】
【０００８】
請求項１〜３に係る考案では、開口部の上縁に連設された結び代部どうしを結ぶことにより、開口部を容易に閉じることができ、ひいては内部からごみが飛び出すのを効果的に防止することのできる流し用水切りごみ袋が得られる。しかも、開口部を閉じるときに、結び代部どうしをそれぞれ基部付近で結ぶようにすれば、流し用水切りごみ袋全体がしぼられ、流し用水切りごみ袋内のごみの水切りがしっかりとなされることになる。
【０００９】
また、前記流し用水切りごみ袋では、開口部周縁を折り返し、その折り返し部分をごみ受けかごや三角コーナーに取り付ける作業を行う際には、結び代部を利用することができる。具体的には、流し用水切りごみ袋の中央部から下部に相当する部分をごみ受けかごや三角コーナー内に収容した後、前記結び代部をごみ受けかごや三角コーナーの開口部より側方に引っ張り出した状態とし、それらを下方に引き下げることにより、流し用水切りごみ袋の開口部周縁がごみ受けかごや三角コーナーの開口部に沿って折り返され、この折り返しによって形成された流し用水切りごみ袋の折り返し部分が自然にごみ受けかごや三角コーナーの開口部周縁に係止された状態となる。従って、上記のように作業を進めれば、ごみ受けかごや三角コーナーへの設置作業が非常に簡単となる。
【考案を実施するための最良の形態】
【００１０】
図１〜図４は、本考案の一実施の形態を示す。図１に示すように、この実施例の流し用水切りごみ袋（以下、ごみ袋という）１は、有底で上方に開口部２が設けられ、多数の穴３を有している。また、前記開口部２の上縁にほぼ等間隔に複数（この実施例では四つ）の結び代部４が連設されている。そして、前記ごみ袋１は、ポリエチレンおよびポリエチレンテレフタレートより形成された不織布よりなる。
【００１１】
次に、ごみ袋１の製造プロセスについて説明する。
まず、図２（Ａ）に示すように、前記不織布よりなり、縦２６０ｍｍ×横４７０ｍｍの大きさの矩形状シートの左右両端を熱シールによって接着し、筒状体５を形成する。
【００１２】
続いて、図２（Ｂ）に示すように、筒状体５の左右にそれぞれ幅５５ｍｍの折り込み（ガゼット）６を形成した後、図２（Ｃ）に示すように、筒状体５の下部を熱シールにより閉じ、底部７を形成する。
【００１３】
そして、最後に、筒状体５の上部の中央部分５ａをほぼ台形状に切り落とすことにより、図１および図２（Ｄ）に示すように、四つの結び代部４を有するごみ袋１が得られる。ここで、筒状体５の上部の中央部分５ａをほぼ台形状に切り落として結び代部４を形成しているので、各結び代部４は、その基部側（下側）ほど横幅が広くなる形状となる。
【００１４】
このようにして得られたごみ袋１は、図１および図２（Ｄ）に示す折り畳まれた状態で市場に流通し、使用時には広げられて図２（Ｅ）に示す状態となる。
【００１５】
次に、ごみ袋１を流しの排水口に設置されるごみ受けかご８に取り付けて使用する場合について説明する。
前記ごみ受けかご８は、図３（Ａ）に示すように、有底筒状で、外向きフランジ９を有する上方開口部１０と、この上方開口部１０から下方に連設され、多数の小孔１１が形成されたメッシュ状の胴部１２と、多数の小孔１１が形成されたメッシュ状の底部１３とを備えている。
【００１６】
そして、前記ごみ受けかご８にごみ袋１を取り付けるには、図３（Ａ）に示すように、ごみ袋１を広げた状態（図２（Ｅ）に示す状態と同一）とし、これをごみ受けかご８内に収容するとともに、ごみ袋１の結び代部４を含む上部を折り返し、この折り返し部分１４を外向きフランジ９に係止させればよい。
【００１７】
上記のようにごみ袋１が取り付けられたごみ受けかご８は、図４に示すように、流しの排水口１５に着脱自在に取り付けられる。詳しくは、前記排水口１５の上部内壁には内側に突出する段部１６が設けられており、この段部１６にごみ受けかご８の外向きフランジ９が載置され、さらに、この外向きフランジ９の上に、菊割れ蓋１７の環状枠部１８が載置される。なお、菊割れ蓋１７は、環状枠部１８の内側に、環状枠部１８の中央に向かう複数の菊割れ舌片（図示していない）を有している。
【００１８】
そして、流しの排水口１５に設置されるごみ受けかご８に取り付けられたごみ袋１には、図３（Ｂ）に示すように、流しの使用に伴ってごみ１９が溜められ、一定量以上のごみ１９がごみ袋１内に溜まれば、ごみ受けかご８からごみ袋１を取り外し、図３（Ｃ）に示すように、結び代部４どうしを結んでごみ袋１の開口部２を閉じる。ここで、結び代部４どうしを先端部のほうで結ばず、基部付近で結ぶようにすれば、ごみ袋１全体がしぼられてごみ袋１内のごみ１９の水切りがなされることになる。
【００１９】
上記のように開口部２が閉じられたごみ袋１は、所定のごみ箱などに捨てられる。
【００２０】
なお、この発明は上記の実施の形態に限られず、種々に変形して実施することができる。具体的には、前記ゴミ袋１は、ポリエチレンおよびポリエチレンテレフタレートよりなる不織布に限られず、例えば、ポリプロピレン製の不織布よりなっていてもよく、ポリプロピレン製またはポリエチレン製のフラットヤーンよりなっていてもよい。
【００２１】
また、上記の実施の形態では、図２（Ｃ）および（Ｄ）に示すように、筒状体５の上部の中央部分５ａをほぼ台形状に切り落として四つの結び代部４を形成しているが、このような構成に限られず、例えば、図５に示すように、筒状体５の上部の左右部分５ｂをそれぞれ矩形状に切り落として四つの結び代部４を形成してもよい。
【００２２】
さらに、上記実施の形態では、ごみ袋１を流しに設置されるごみ受けかご８に取り付けているが、ごみ受けかご８の他、流しの隅などに配置される三角コーナーなどのかご部材にごみ袋１を取り付けてもよいことはいうまでもない。
【図面の簡単な説明】
【００２３】
【図１】本考案の一実施例に係る流し用水切りごみ袋の構成を概略的に示す正面図である。
【図２】（Ａ）〜（Ｅ）は、前記流し用水切りごみ袋の製造プロセスを概略的に示す斜視図である。
【図３】（Ａ）は、ごみ受けかごに取り付けられる直前の流し用水切りごみ袋の構成を概略的に示す斜視図、（Ｂ）は、ごみ受けかごに取り付けられ使用状態にある流し用水切りごみ袋の構成を概略的に示す斜視図、（Ｃ）は、使用後の流し用水切りごみ袋の構成を概略的に示す斜視図である。
【図４】使用状態にある流し用水切りごみ袋の構成を概略的に示す縦断面図である。
【図５】前記流し用水切りごみ袋の変形例の構成を概略的に示す正面図である。
【符号の説明】
【００２４】
１  流し用水切りごみ袋
２  開口部
３  穴
４  結び代部
【図１】
0003107074.tif 000003
【図２】
0003107074.tif 000004
【図３】
0003107074.tif 000005
【図４】
0003107074.tif 000006
【図５】
0003107074.tif 000007